【手続補正書】
【提出日】令和3年10月27日(2021.10.27)
【手続補正１】
【補正対象書類名】特許請求の範囲
【補正対象項目名】全文
【補正方法】変更
【補正の内容】
【特許請求の範囲】
【請求項１】
施設の利用者の顔画像を登録し、前記施設内における前記利用者の行為によって発生するイベントごとに顔認証を実行する顔認証システムであって、
前記施設に設置され、前記利用者の登録用の顔画像およびその顔画像以外の情報であって前記利用者の特定に用いられる特定情報を取得する登録装置と、
前記イベントの発生時に撮影された前記利用者の認証用の顔画像を取得する前記イベントの発生場所に対応して設けられた顔認証機と、
前記登録装置とネットワークを介して接続され、前記登録用の顔画像および前記特定情報を関連付けて蓄積する顔管理サーバと、
前記登録用の顔画像および前記認証用の顔画像から顔特徴量データをそれぞれ生成する
と共に、前記顔特徴量データ同士の照合処理を実行する１以上の顔照合サーバと、を備え、
前記顔管理サーバは、
利用者が属する照合グループを設定し、前記顔認証機と前記照合グループとの間の関連付け情報と、前記顔照合サーバと前記照合グループとの間の関連付け情報とを生成して管理することを特徴とする顔認証システム。
【請求項２】
前記イベントの１つは、前記施設内での通行を管理するゲート装置を前記利用者が通過する行為によって発生し、
前記顔認証機の少なくとも１つは、前記ゲート装置と連携することを特徴とする請求項１に記載の顔認証システム。
【請求項３】
前記イベントの１つは、前記施設内における所定の部屋への入室を管理するドアを前記利用者が通過する行為によって発生し、
前記顔認証機の少なくとも１つは、前記ドアのロック装置と連携することを特徴とする請求項１または請求項２に記載の顔認証システム。
【請求項４】
前記イベントは、前記施設で使用される決済端末装置を介した前記利用者の支払いの行為によって発生し、
前記顔認証機の少なくとも１つは、前記決済端末装置と連携することを特徴とする請求項１から請求項３のいずれかに記載の顔認証システム。
【請求項５】
前記登録装置は、前記利用者が所持する名刺に表示された情報を、前記特定情報として取得することを特徴とする請求項１から請求項４のいずれかに記載の顔認証システム。
【請求項６】
前記登録装置は、前記利用者が所持する決済用のカードに表示された情報を、前記特定情報として取得することを特徴とする請求項１から請求項４のいずれかに記載の顔認証システム。
【請求項７】
前記登録装置は、前記施設内における前記利用者の滞在場所を示す情報を、前記特定情報として取得することを特徴とする請求項１から請求項４のいずれかに記載の顔認証システム。
【請求項８】
施設の利用者の顔画像を登録し、前記施設内における前記利用者の行為によって発生するイベントごとに顔認証を実行する顔認証方法であって、
前記施設において、前記利用者の登録用の顔画像およびその顔画像以外の情報であって前記利用者の特定に用いられる特定情報を取得し、
前記イベントの発生時に撮影された前記利用者の認証用の顔画像を前記イベントの発生場所に対応して設けられた顔認証機より取得し、
前記登録用の顔画像および前記特定情報を関連付けて顔管理サーバに蓄積し、
前記登録用の顔画像および前記認証用の顔画像から顔特徴量データをそれぞれ生成すると共に、前記顔特徴量データ同士の照合処理を１以上の顔照合サーバによって実行し、
前記顔管理サーバが、利用者が属する照合グループを設定し、前記顔認証機と前記照合グループとの間の関連付け情報と、前記顔照合サーバと前記照合グループとの間の関連付け情報とを生成して管理することを特徴とする顔認証方法。
【手続補正２】
【補正対象書類名】明細書
【補正対象項目名】０００７
【補正方法】変更
【補正の内容】
【０００７】
本開示の顔認証システムは、施設の利用者の顔画像を登録し、前記施設内における前記利用者の行為によって発生するイベントごとに顔認証を実行する顔認証システムであって、前記施設に設置され、前記利用者の登録用の顔画像およびその顔画像以外の情報であって前記利用者の特定に用いられる特定情報を取得する登録装置と、前記イベントの発生時に撮影された前記利用者の認証用の顔画像を取得する前記イベントの発生場所に対応して設けられた顔認証機と、前記登録装置とネットワークを介して接続され、前記登録用の顔画像および前記特定情報を関連付けて蓄積する顔管理サーバと、前記登録用の顔画像および前記認証用の顔画像から顔特徴量データをそれぞれ生成すると共に、前記顔特徴量データ同士の照合処理を実行する１以上の顔照合サーバと、を備え、前記顔管理サーバは、利用者が属する照合グループを設定し、前記顔認証機と前記照合グループとの間の関連付け情報と、前記顔照合サーバと前記照合グループとの間の関連付け情報とを生成して管理する構成とする。
【手続補正３】
【補正対象書類名】明細書
【補正対象項目名】０００８
【補正方法】変更
【補正の内容】
【０００８】
また、本開示の顔認証方法は、施設の利用者の顔画像を登録し、前記施設内における前記利用者の行為によって発生するイベントごとに顔認証を実行する顔認証方法であって、前記施設において、前記利用者の登録用の顔画像およびその顔画像以外の情報であって前記利用者の特定に用いられる特定情報を取得し、前記イベントの発生時に撮影された前記利用者の認証用の顔画像を前記イベントの発生場所に対応して設けられた顔認証機より取得し、前記登録用の顔画像および前記特定情報を関連付けて顔管理サーバに蓄積し、前記登録用の顔画像および前記認証用の顔画像から顔特徴量データをそれぞれ生成すると共に、前記顔特徴量データ同士の照合処理を１以上の顔照合サーバによって実行し、前記顔管理サーバが、利用者が属する照合グループを設定し、前記顔認証機と前記照合グループとの間の関連付け情報と、前記顔照合サーバと前記照合グループとの間の関連付け情報とを生成して管理する構成とする。
【手続補正４】
【補正対象書類名】明細書
【補正対象項目名】００１１
【補正方法】変更
【補正の内容】
【００１１】
前記課題を解決するためになされた第１の発明は、施設の利用者の顔画像を登録し、前記施設内における前記利用者の行為によって発生するイベントごとに顔認証を実行する顔認証システムであって、前記施設に設置され、前記利用者の登録用の顔画像およびその顔画像以外の情報であって前記利用者の特定に用いられる特定情報を取得する登録装置と、前記イベントの発生時に撮影された前記利用者の認証用の顔画像を取得する前記イベントの発生場所に対応して設けられた顔認証機と、前記登録装置とネットワークを介して接続され、前記登録用の顔画像および前記特定情報を関連付けて蓄積する顔管理サーバと、前記登録用の顔画像および前記認証用の顔画像から顔特徴量データをそれぞれ生成すると共に、前記顔特徴量データ同士の照合処理を実行する１以上の顔照合サーバと、を備え、前記顔管理サーバは、利用者が属する照合グループを設定し、前記顔認証機と前記照合グループとの間の関連付け情報と、前記顔照合サーバと前記照合グループとの間の関連付け情報とを生成して管理する構成とする。
【手続補正５】
【補正対象書類名】明細書
【補正対象項目名】００２５
【補正方法】変更
【補正の内容】
【００２５】
また、第８の発明は、施設の利用者の顔画像を登録し、前記施設内における前記利用者の行為によって発生するイベントごとに顔認証を実行する顔認証方法であって、前記施設において、前記利用者の登録用の顔画像およびその顔画像以外の情報であって前記利用者の特定に用いられる特定情報を取得し、前記イベントの発生時に撮影された前記利用者の認証用の顔画像を前記イベントの発生場所に対応して設けられた顔認証機より取得し、前記登録用の顔画像および前記特定情報を関連付けて顔管理サーバに蓄積し、前記登録用の顔画像および前記認証用の顔画像から顔特徴量データをそれぞれ生成すると共に、前記顔特徴量データ同士の照合処理を１以上の顔照合サーバによって実行し、前記顔管理サーバが、利用者が属する照合グループを設定し、前記顔認証機と前記照合グループとの間の関連付け情報と、前記顔照合サーバと前記照合グループとの間の関連付け情報とを生成して管理する構成とする。